(57)【要約】【課題】第１、第２小締結封止部６１、６２を構成するキャップ１０１、１０２に含有される磁気共鳴物質の粉末の種類が、役物装置４に含有された磁気共鳴物質の粉末に対応して定められたパチンコ機１などを提供する。【解決手段】遊技領域３に取り付けられた役物装置４と、主基板３０が収納された状態で封止され、最初の封止後３回までは開封および再封止ができる基板ボックス３０と、第１小締結封止部６１を構成するキャップ１０１と、第２小締結封止部６２を構成するキャップ１０２と、を備え、役物装置４、第１および第２小締結封止部６１、６２を構成するキャップ１０１、１０２は、磁気共鳴物質の粉末を含有し、第１および第２小締結封止部６１、６２を構成するキャップ１０１、１０２に含有される磁気共鳴物質の粉末の種類は、役物装置４に含有される磁気共鳴物質の粉末の種類に対応して定められた。【選択図】図５
2008142374.tif 000002
【特許請求の範囲】
【請求項１】
遊技盤と、遊技に関するプログラムが記憶されたＲＯＭと、前記ＲＯＭが実装された回路基板と、を備えた遊技機において、
前記遊技盤に取り付けられた遊技盤取付部材と、
前記回路基板が収納された状態で封止され、最初の封止後、少なくとも１回は開封および再封止ができる基板ボックスと、
前記基板ボックスの最初の封止時に、破壊しなければ取り外せないように前記基板ボックスに装着される本部材と、
前記基板ボックスの再封止時に、破壊しなければ取り外せないように前記基板ボックスに装着され、前記本部材と同一の形状を有する少なくとも１つの予備部材と、
を備え、
前記遊技盤取付部材、前記本部材、および前記予備部材は、磁気共鳴物質の粉末を含有し、
前記本部材および前記予備部材に含有される磁気共鳴物質の粉末の種類は、前記遊技盤取付部材に含有される磁気共鳴物質の粉末の種類に対応して定められた、
ことを特徴とする遊技機。
【発明の詳細な説明】
【技術分野】
【０００１】
本発明は、パチンコ機、スロットマシン、アレンジボール機、雀球機などの遊技機に関し、特に、回路基板を収容する基板ボックスを備えた遊技機に関する。
【背景技術】
【０００２】
遊技機においては、ＲＯＭを実装された回路基板が基板ボックスに収納されている。遊技機における遊技は、このＲＯＭに記憶されているプログラムによって制御されているため、特定の遊技者によって基板ボックスが不正に開封され、正規のＲＯＭが偽造されたＲＯＭに取り換えられてしまうと、この特定の遊技者（または、この特定の遊技者と結託した者）が遊技をした場合にのみ遊技が有利に進行するという遊技の制御が可能とされてしまう。このため、従来の遊技機では、ＲＯＭの不正な交換を発見できるように、基板ボックスが、開封された場合に痕跡が残るように封止されていた（特許文献１参照）。
【０００３】
このような従来の遊技機においては、基板ボックスが、開封を伴う検査を一度行っても利用し続けることができるように、最初の封止後、少なくとも１回は開封・再封止ができるように構成されることが多く、たとえば、特許文献１で開示されている遊技機においても、最初の封止時に使用され最初の封止を解除する際に破壊される部材に加えて、この部材と同一の形状を有する予備の部材が、２回目以降の封止（再封止時）に使用する部材として基板ボックスに備え付けられている。
【特許文献１】特開２００１−３０００９１
【発明の開示】
【発明が解決しようとする課題】
【０００４】
しかしながら、開封を伴う検査は、実際上ほとんど行われない。このため、上記のような従来の基板ボックスは、多くの場合、２回目以降の封止（再封止）が施されることなく廃棄されるが、最近は、この廃棄された基板ボックスから２回目以降の封止（再封止）に使用する予定であった未使用の部材が取り出され、これが、最初の封止を解除する際に破壊された部材の代わりとして用いられて、痕跡が目視では分からないように基板ボックスが開封され、ＲＯＭが交換されるという不正が増加している。
【０００５】
このような不正に対する対策としては、最初の封止時に使用され最初の封止を解除する際に破壊される部材（本部材）と、再封止時に使用され本部材と同一の形状を有する予備の部材（予備部材）とに、異なる種類の磁気共鳴物質の粉末をそれぞれ含有させるという手段が考えられる（たとえば、粉末ｘを本部材に含有させ、粉末ｙを予備部材に含有させる）。ここで、本部材および予備部材に含有される粉末の種類は、遊技機の機種や製造番号や出荷時期などに対応して定める（たとえば、機種Ａの遊技機においては、本部材、予備部材にそれぞれ粉末ｘ、粉末ｙを含有させ、機種Ｂの遊技機においては、本部材、予備部材にそれぞれ粉末ｚ、粉末ｘを含有させる。）
【０００６】
このようにすれば、廃棄された基板ボックスの予備部材を本部材の代わりとして用いる不正がなされた場合、機種や製造番号や出荷時期などからすれば、たとえば、本部材に粉末ｘが存在し予備部材に粉末ｙが存在しなければならないのにもかかわらず、本部材と予備部材の双方に粉末ｙが存在することとなって、磁気共鳴物質の粉末の組み合わせが異なるという痕跡が基板ボックスに残ることとなり、この痕跡を利用して基板ボックスの開封を検知できる。
【０００７】
しかしながら、機種や製造番号や出荷時期などは、遊技機に貼り付けられたシールなどによって容易に目視で確認できるものであるため、たとえば、「機種Ａの遊技機における本部材に含有されている粉末は、機種Ｂの遊技機における予備部材に含有されている粉末と同じである」との情報や、「製造番号Ｃの遊技機における本部材に含有されている粉末は、製造番号Ｄの遊技機における予備部材に含有されている粉末と同じである」との情報や、「出荷時期が○年△月の遊技機における本部材に含有されている粉末は、出荷時期が□年△月の遊技機における予備部材に含有されている粉末と同じである」との情報が漏洩してしまうと、当該情報を知った者により、廃棄された遊技機の中から、機種Ｂ、製造番号Ｄ、または出荷時期□年△月のものが探し出され、これに使用されている予備部材が、店舗に設置された機種Ａ、製造番号Ｃ、または出荷時期○年△月の遊技機における本部材の代わりに使用されてしまい、粉末の組み合わせが異なるという痕跡が基板ボックスに残らないようにする不正を実現されてしまうおそれもあった。
【０００８】
そこで、本発明は、本部材および予備部材に含有される磁気共鳴物質の粉末の種類が、目視では確認できないものに対応して定められた遊技機を提供することを目的とする。
【課題を解決するための手段】
【０００９】
上記課題を解決して上記目的を達成するために、本発明は、遊技盤と、遊技に関するプログラムが記憶されたＲＯＭと、ＲＯＭが実装された回路基板と、を備えた遊技機において、遊技盤に取り付けられた遊技盤取付部材と、回路基板が収納された状態で封止され、最初の封止後、少なくとも１回は開封および再封止ができる基板ボックスと、基板ボックスの最初の封止時に、破壊しなければ取り外せないように基板ボックスに装着される本部材と、基板ボックスの再封止時に、破壊しなければ取り外せないように基板ボックスに装着され、本部材と同一の形状を有する少なくとも１つの予備部材と、を備え、遊技盤に取り付けられた遊技盤取付部材、基板ボックスの最初の封止時に破壊しなければ取り外せないように基板ボックスに装着される本部材、および基板ボックスの再封止時に破壊しなければ取り外せないように基板ボックスに装着され本部材と同一の形状を有する予備部材は、磁気共鳴物質の粉末を含有し、基板ボックスの最初の封止時に破壊しなければ取り外せないように基板ボックスに装着される本部材および基板ボックスの再封止時に破壊しなければ取り外せないように基板ボックスに装着され本部材と同一の形状を有する予備部材に含有される磁気共鳴物質の粉末の種類は、遊技盤に取り付けられた遊技盤取付部材に含有される磁気共鳴物質の粉末の種類に対応して定められた、ことを特徴とする。
【００１０】
本発明によれば、本部材および予備部材に含有される磁気共鳴物質の粉末の種類が、遊技盤に取り付けられた遊技盤取付部材に含有される磁気共鳴物質の粉末の種類に対応して定められるところ、この遊技盤取付部材に含有される磁気共鳴物質の粉末の種類は、目視では確認できない。したがって、本発明によれば、廃棄された基板ボックスの予備部材を本部材の代わりとして用いる不正を実施することに手間がかかる。よって、本発明においては、「遊技盤取付部材に粉末ｘが含有されている遊技機の本部材には、遊技盤取付部材に粉末ｙが含有されている遊技機の予備部材に含有されている粉末と同じ種類の粉末が含有されている」等との情報が漏洩し、この漏洩した情報を利用した不正が可能になった後においても、不正の発覚率が高く、成功率が低い。
【発明の効果】
【００１１】
以上説明したように、本発明によれば、本部材および予備部材に含有される磁気共鳴物質の粉末の種類が、遊技盤取付部材に含有された磁気共鳴物質の粉末の種類に対応して定められる。したがって、本発明においては、本部材および予備部材に含有される粉末の種類に関する情報が漏洩し、この漏洩した情報を利用した不正が可能となった後においても、不正の発覚率が高く、成功率が低い。
【発明を実施するための最良の形態】
【００１２】
以下、本発明の実施の形態に係るパチンコ機について説明する。パチンコ機は、本発明に係る遊技機の一例である。
【００１３】
＜パチンコ機１の概略構成＞
まず、図１、図２、図３を参照しつつ、実施形態に係るパチンコ機の概略構成について説明する。図１は、パチンコ機を示す正面図、図２は、パチンコ機が遊技盤を備える様子を説明する図、図３は、パチンコ機の背面図である。
【００１４】
図１、図２に示すように、パチンコ機１は、遊技盤２を備えている。遊技盤２には遊技領域３が区画形成されており、この遊技領域３内には、センター役物と呼ばれる役物装置４、図柄表示装置５（例えば、液晶表示器、ＥＬ表示器、プラズマ表示器、ＣＲＴ等）などの各種装置が取り付けられている。なお、役物装置４は、本発明における「遊技盤取付部材」の一例として示したものである。
【００１５】
また、図３に示すように、パチンコ機１の背面においては、遊技球を払い出す払出装置１０と、払出装置制御用の払出基板が収容された払出基板ボックス２０と、遊技全体を制御する図５に例示した主基板３０（主基板３０は、本発明における「回路基板」の一例である）が収容された主基板ボックス４０と、図柄表示装置５を制御する表示基板が収納された表示基板ボックス（図示略）と、が設けられている。主基板ボックス４０は、遊技盤２の背面下部に取り付けられ、表示基板ボックス（図示略）は、遊技盤２の背面中央に取り付けられて保護カバー５０によって覆われている。また、払出基板ボックス２０は、遊技盤２よりも下方に取り付けられている。
【００１６】
なお、主基板ボックス４０、払出基板ボックス２０、表示基板ボックス（図示略）は、本発明における「基板ボックス」の一例として示したものである。
【００１７】
＜基板ボックス４０の概略構成＞
次に、図４、図５を参照しつつ、主基板ボックス４０を例に挙げて、基板ボックスの概略構成について説明する。図４は本発明の一実施形態における基板ボックスの斜視図であり、図５は、本発明の一実施形態における基板ボックスの分解斜視図である。
【００１８】
図４、図５に示すように、主基板ボックス４０（以下、「基板ボックス４０」と略す。）は、ボックス本体４１と、このボックス本体４１に組み合わされるカバー体４２とを有している。主基板３０は、ＣＰＵやＲＡＭやＲＯＭなどの電子部品を実装された状態で、ボックス本体４１に取り付けられる。ＲＯＭには、遊技に関するプログラムが記憶されており、このプログラムがＣＰＵによって実行されることにより、パチンコ機１における遊技が制御される。
【００１９】
ボックス本体４１とカバー体４２とは、その一側でヒンジ連結されており、他側である開放側の左右両端には、締結封止部６０ａ、６０ｂが設けられている。これら締結封止部６０ａ、６０ｂは、同じ形状・構成を有している。
締結封止部６０ａ、６０ｂには、それぞれ、第１小締結封止部６１、第２小締結封止部６２、第３小締結封止部６３、第４小締結封止部６４が設けられており、ボックス本体４１とカバー体４２とは、これら小締結封止部６１〜６４のいずれか１つを使用して、主基板３０を収納した状態で締結され、封止される。
【００２０】
本実施形態では、第１小締結封止部６１は、第１回目の封止時（最初の封止時）に使用され、残りの第２小締結封止部６２〜第４小締結封止部６４は、それぞれ、２回目、３回目、および４回目の封止時（再封止時）に使用される。これにより、基板ボックス４０は、第１回目の封止を施した後であっても、３回までは開封・封止を繰り返すことが可能とされる。なお、使用する順番を分かりやすくするために、左右の締結封止部６０ａ、６０ｂには、各小締結封止部６１〜６４に対応して１〜４の番号が記されている。
【００２１】
次に、図６、図７を参照しつつ、第１小締結封止部６１の構成について詳細に説明する。図６は、図４におけるＡ−Ａの締結前の断面図であり、図７は、図４におけるＡ−Ａの締結後の断面図である。
【００２２】
第１小締結封止部６１は、ボックス本体４１とカバー体４２とを貫通する連通孔と、カシメ部材８１と、ワンウェイネジ９１と、キャップ１０１とから構成される。ボックス本体４１とカバー体４２とを貫通する連通孔にカシメ部材８１を配置し、これにワンウェイネジ９１をねじ込む。キャップ１０１〜１０４は、ワンウェイネジ９０がねじ込まれた連通孔に装着される。キャップ１０１〜１０４は、破壊しなければ連通孔から取り外せない形状を有しており、これによって、ねじ込まれたワンウェイネジ９１が無理矢理に回転されたり、引き抜いたりされることが防止される。
【００２３】
［連通孔］
連通孔は、ボックス本体４１を貫通するボックス本体側の孔６１ａとカバー体４２を貫通するカバー体側の孔６１ｂとが連通することにより形成される。
ボックス本体４１側の孔６１ａは、断面が円形状の段付き孔形状（本実施形態では３段）に形成されており、その内径が、ワンウェイネジ９０の挿入方向に向けて段階的に大きくなる。
カバー体４２側の孔６１ｂは、その断面が角形状とされており、その内壁に、キャップ１０１を係止するための係止溝１１０が形成されている。
【００２４】
［カシメ部材８１］
カシメ部材８１は、ネジ孔が形成された筒部８１ａとフランジ部８１ｂとを具備する金属製部材である。カシメ部材８１は、そのフランジ部８１ｂがカバー体４２側の孔６１ｂの最も奥に形成された底面１２０に突き当たって、筒部８１ａが底面１２０を超えてボックス本体４１側の孔６１ａの内部に突入するまで、連通孔に押し込まれる。なお、カシメ部材８１は、フランジ部８１ｂの形状がカバー体４２側の孔６１ｂに対応して角形状とされているので、カバー体４２側の孔６１ｂにおいてまわり止めされる。
筒部８１ａには、スリット８１ｃ（たとえば４分割）が形成されている。また、筒部８１ａの内壁は、先細のテーパ状に形成され、先端にいくほど内径が小さくなる。筒部８１ａは、これにワンウェイネジ９１がねじ込まれると、スリット８１ｃから切り割れて、径方向に拡開する。これにより、筒部８１ａの外面が、カバー体４２側の孔６１ｂにおける段付き部分の内壁に当接して、当該内壁に係合し、カシメ部材８１をボックス本体４１側からカバー体４２側に向けて取り外すことができなくなる。
なお、カシメ部材８１は、フランジ部８１ｂがカバー体４２側の孔６１ｂの最も奥に形成された底面１２０に係合するので、カバー体４２側からボックス本体４１側に向けても取り外すことができない。
【００２５】
［ワンウェイネジ９１］
ワンウェイネジ９１は、ねじ込み方向にしか回転させることができない金属製のネジであり、カシメ部材８１にねじ込まれて、ボックス本体４１とカバー体４２とを締結・封止する役割を果たす。
【００２６】
［キャップ１０１］
キャップ１０１は、本体部分１０１ａと、この本体部分１０１ａにおける一組の対辺に形成された一対の係止爪１０１ｂとを具備している。本体部分１０１ａは、カバー体４２側の孔６１ｂの形状に対応して断面が角型の形状をしており、その一辺の長さがカバー体４２側の孔６１ｂの内径Ｈよりも僅かに小さく、当該孔６１ｂに内接する。
【００２７】
一対の係止爪１０１ｂは、先端にいくに従って拡開されている。また、一対の係止爪１０１ｂにおける一方の先端と他方の先端との間隔Ｄは、カバー体４２側の孔６１ｂの内径Ｈよりも僅かに大きく設定されている（Ｄ＞Ｈ）。このため、この一対の係止爪１０１ｂは、カバー体４２側の孔６１ｂに本体部分１０１ａが挿入されると、当該孔６１ｂの内壁によって、互いに近接する方向（幅Ｄを狭める方向）に僅かに弾性変形する。
【００２８】
一対の係止爪１０１ｂは、カバー体４２側の孔６１ｂに形成された係止溝１１０に達すると、弾性変形前の状態、すなわち、カバー体４２側の孔６１ｂに挿入される前の状態に戻り、係止溝１１０に係合される。これにより、キャップ１０１は、カバー体４２側の孔６１ｂに係止され、破壊されない限り、カバー体４２側の孔６１ｂから取り外すことができなくなる。このようにしてキャップ１０１がカバー体４２側の孔６１ｂに装着されると、当該孔６１ｂが本体部分１０１ａによって封鎖されるので、ワンウェイネジ９１を無理矢理に回転させたり、引き抜いたりすることができなくなる。
【００２９】
以上第１小締結封止部６１について説明したが、第２小締結封止部６２〜第４小締結封止部６４も、第１小締結封止部６１と同様に、ボックス本体４１とカバー体４２とを貫通する連通孔（ボックス本体側の孔６２ａ〜６４ａとカバー体側の孔６２ｂ〜６４ｂとがそれぞれ連通することにより形成される。）と、カシメ部材８２〜８４と、ワンウェイネジ９２〜９４と、キャップ１０２〜１０４とから構成される。カシメ部材８２〜８４は、ボックス本体４１とカバー体４２とを貫通する連通孔に予め配置されており、また、ワンウェイネジ９２〜９４は、当該連通孔に仮止めされている。また、キャップ１０２〜１０４は、連結された状態で基板ボックス４０内に収容され保管されており、使用時に連結部分が切断されて分離される。なお、キャップ１０１は、本発明における「本部材」の一例として示したものであり、キャップ１０２〜１０４は、本発明における「予備部材」の一例として示したものである。
【００３０】
次に、図４に戻り、第１小締結封止部６１を用いて第１回目の封止が施された基板ボックス４０を例に挙げ、基板ボックス４０を検査のために開封し、再封止（２回目）する方法について説明する。
基板ボックス４０を検査のために開封する際には、まず、カバー体４２に形成されている三角形状の突起７１〜７３のうちの突起７１がニッパーなどの工具で切除される。この三角形状の突起７１が切除されると、カバー体４２に開口が形成される。つぎに、この開口にニッパーなどの工具が挿入され、切断線ＣＬ１、ＣＬ２に沿ってカバー体４２が切断されることにより、カバー体４２における第１小締結封止部６１の形成された部位が、カバー体４２における他の部位から分離される。これにより、ボックス本体４１とカバー体４２との締結・封止が解除される。なお、カシメ部材８１、ワンウェイネジ９１、およびキャップ１０１は、第１小締結封止部６１を構成する連通孔に取り付けられた状態のまま残る。
【００３１】
上記のようにして基板ボックス４０が開封されると、第１小締結封止部６１が、カバー体４２における他の部位から分離されているので、この第１小締結封止部６１を用いて、カバー体４２における他の部位とボックス本体４１とを締結・封止することはできない。そこで、開封された基板ボックス４０を検査後に再封止する場合には、第２小締結封止部６２を構成する連通孔に仮止めしてあるワンウェイネジ９２をねじ込むことにより、この連通孔に配置されているカシメ部材８２を変形させ、ボックス本体４１とカバー体４２とを締結し、基板ボックス４０を再封止する。そして、第２小締結封止部６２を構成する連通孔にキャップ１０２を装着する。
【００３２】
以上説明した実施の形態に係るパチンコ機１においては、役物装置４とキャップ１０１〜１０４とが、磁気共鳴物質の粉末を含有する合成樹脂成形部品を主体として構成されている。ここで、磁気共鳴物質とは、物質ごとに固有の周波数を持ち、この固有の周波数を有する電磁波が照射された場合にのみ、磁気共鳴現象（照射された固有の周波数を有する電磁波を吸収・放出する現象）を示す物質である。物質ごとに固有の周波数を有しているので、ある種の磁気共鳴物質は、該磁気共鳴物質が持つ固有の周波数を有する電磁波を照射された場合には、該照射された電磁波を吸収・放出する磁気共鳴現象を示すが、該固有の周波数以外の他の周波数を有する電磁波を照射されても、該照射された電磁波を吸収・放出する磁気共鳴現象を示さない。なお、キャップ１０１〜１０４に含有される磁気共鳴物質の粉末の種類は、たとえば図７に示すように、プローブ型の電磁波照射検出器２００の一部を連通孔に挿入して特定することができる。
【００３３】
キャップ１０１〜１０４に含有される磁気共鳴物質の粉末の種類は、役物装置４に含有される磁気共鳴物質の粉末の種類に対応して定められる。以下に、図８を参照しつつ、役物装置４とキャップ１０１〜１０４とに含有される磁気共鳴物質の粉末の関係について説明する。図８は、役物装置とキャップに含有される磁気共鳴物質の粉末の関係を示す図である。
【００３４】
図８に示すように、本実施の形態に係るパチンコ機１においては、役物装置４に磁気共鳴物質の粉末「Ａ」を含有させる場合、キャップ１０１〜１０４には、それぞれ、「Ｃ」、「Ｄ」、「Ｂ」、「Ａ」を含有させる。同様に、役物装置４に磁気共鳴物質の粉末「Ｂ」を含有させる場合には、キャップ１０１〜１０４に、それぞれ、「Ｄ」、「Ｃ」、「Ｂ」、「Ｄ」を含有させ、役物装置４に磁気共鳴物質の粉末「Ｃ」を含有させる場合には、キャップ１０１〜１０４に、それぞれ、「Ｂ」、「Ａ」、「Ｅ」、「Ｃ」を含有させ、役物装置４に磁気共鳴物質の粉末「Ｄ」を含有させる場合には、キャップ１０１〜１０４に、それぞれ、「Ｃ」、「Ｂ」、「Ｄ」、「Ｅ」を含有させ、役物装置４に磁気共鳴物質の粉末「Ｅ」を含有させる場合には、キャップ１０１〜１０４に、それぞれ、「Ｂ」、「Ｄ」、「Ａ」、「Ｂ」を含有させる。
なお、「Ａ」〜「Ｅ」は、固有の周波数に基づき特定される磁気共鳴物質の粉末の種類を示す。
【００３５】
ここで、開始から完了までに３日を要する不正を想定しつつ、本実施の形態に係るパチンコ機１を、比較例に係るパチンコ機と比較する。
【００３６】
（比較例に係るパチンコ機）
比較例に係るパチンコ機では、キャップ１０１〜１０４に含有される粉末の種類（Ａ〜Ｅ）が、パチンコ機の機種（イ、ロ）に対応して定められるものとする。また、機種「イ」のパチンコ機で第１回目の封止時に使用されるキャップ１０１と、機種「ロ」のパチンコ機で第２回目の封止時に使用される予備のキャップ１０２とが、同じ種類の磁気共鳴物質の粉末を含有しているものとする。なお、パチンコ店には、機種「イ」のパチンコ機が設置されているものとし、その基板ボックス４０は、キャップ１０１を使用する第１回目の封止が施されているものとする。
（１）１日目
パチンコ店に入り、設置されている複数のパチンコ機１の中から機種が「イ」であるものを探し出す（この場合、機種が「イ」であるものを探し出すことは、パチンコ機１を目視することにより確認できるので、人目に付かないように行うことが比較的容易である）。
（２）２日目
パチンコ機が廃棄されている場所において、機種が「ロ」であるものを探し出し（この場合、機種が「ロ」であるものを探し出すことは、パチンコ機１を目視することにより確認できるので、比較的容易である）、予備のキャップ１０２を取り出す。
（３）３日目
パチンコ店に入り、１日目に探し出した機種が「イ」であるパチンコ機１の基板ボックス４０を、使用されているキャップ１０１のみを破壊して開封する。そして、ＲＯＭを交換した後、破壊したキャップ１０１が装着されていた連通孔に、廃棄された機種が「ロ」であるパチンコ機１から取り出した予備のキャップ１０２を装着する。
【００３７】
（本実施の形態に係るパチンコ機１）
上述したように、本実施の形態に係るパチンコ機１においては、キャップ１０１〜１０４に含有されている粉末の種類が役物装置４に含有されている粉末の種類に対応して定められている。また、図８に示すように、粉末「Ａ」を含有する役物装置４を備えたパチンコ機１で第１回目の封止時に使用されるキャップ１０１と、粉末「Ｂ」を含有する役物装置４を備えたパチンコ機１で第２回目の封止時に使用される予備のキャップ１０２とが、同じ種類の磁気共鳴物質の粉末を含有している。なお、パチンコ店には、粉末「Ａ」が含有された役物装置４を備えるパチンコ機１が設置されているものとし、その基板ボックス４０は、キャップ１０１を使用する第１回目の封止が施されているものとする。
（１）１日目
パチンコ店に入り（ほとんどの場合、夜中に店舗に侵入し）、電磁波照射検出器２００を用いて、店舗に設置されている複数のパチンコ機１の中から、磁気共鳴物質の粉末「Ａ」を含有している役物装置４を備えたパチンコ機１を探し出す。
（２）２日目
パチンコ機１が廃棄されている場所において、磁気共鳴物質の粉末「Ｂ」を含有している役物装置４を備えたパチンコ機１を電磁波照射検出器２００により探し出し、このパチンコ機１の基板ボックス４０から、予備のキャップ１０２を取り出す。
（３）３日目
パチンコ店に入り、磁気共鳴物質の粉末「Ａ」を含有している役物装置４を備えたパチンコ機１の基板ボックス４０を、使用されているキャップ１０１のみを破壊して開封する。そして、ＲＯＭを交換した後、破壊したキャップ１０１が装着されていた連通孔に、廃棄されたパチンコ機１から取り出した予備のキャップ１０２を装着する。
【００３８】
（比較）
機種（イ、ロ）は目視で確認できるのに対し、粉末の種類（Ａ、Ｂ）は、目視では確認できず、電磁波照射検出器２００を用いた調査を行わなければ分からない。したがって、比較例に係るパチンコ機についての不正よりも、本実施の形態に係るパチンコ機１についての不正の方が、その実施に手間がかかる。したがって、本実施の形態に係るパチンコ機１においては、「役物装置４に粉末Ａが含有されているパチンコ機１のキャップ１０１には、役物装置４に粉末Ｂが含有されているパチンコ機１の予備のキャップ１０２に含有されている粉末と同じ種類の粉末が含有されている」との情報が漏洩し、この漏洩した情報を利用した不正が可能になった後においても、不正の発覚率が高く、成功率が低い。
【００３９】
以上実施の形態に係るパチンコ機１について説明したが、役物装置４やキャップ１０１〜１０４を構成する合成樹脂成形部品は、これらを磁気共鳴物質の粉末が混練された合成樹脂材を成形して構成すれば、当該部品において磁気共鳴物質の粉末が均一に存在することとなり、当該部品のどの部分に電磁波を照射しても、磁気共鳴現象を検出することができる。
【００４０】
なお、上記した磁気共鳴物質の種類は、キャップ１０１〜１０４に含有される粉末の種類が、役物装置４に含有される粉末の種類に対応して定められる限り、特に限定されるものではなく、無線周波数を有する電磁波を照射した場合に、たとえば、磁気共鳴（ＮＭＲ）、電子四重極共鳴（ＮＱＲ）、電子スピン共鳴（ＥＳＲ）、強磁性共鳴（ＦＲ）、フェリ磁性共鳴（ＦＥＲ）、反フェリ磁性共鳴（ＡＦＥＲ）、磁区壁共鳴（ＤＷＲ）、スピン波共鳴（ＳＷＲ）を示す物質などを用いることができる。
【００４１】
もっとも、特に、零磁場（０．５ｍＴ以下の磁場）または非常に弱い磁場において特定の周波数を有する電磁波を照射した場合に磁気共鳴現象を示す物質、たとえば、（１）零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体、（２）零磁場（０．５ｍＴ以下の磁場）において核四極子共鳴現象を示す物質、（３）非常に弱い磁場において電子スピン共鳴現象を示す物質、（４）零磁場（０．５ｍＴ以下の磁場）において電気／磁気双極子またはスタークーゼーマンサブレベル間のトンネル遷移に起因する共鳴現象を示す物質を用いることが好ましい。
【００４２】
このように、零磁場（０．５ｍＴ以下の磁場）または非常に弱い磁場において特定の周波数を有する電磁波を照射した場合に磁気共鳴現象を示す物質によれば、磁気共鳴現象を検知するに際して磁気共鳴物質に外部磁界をかける必要がないため、電磁波照射検出器２００に外部磁界を発生させる磁石やコイルなどを設ける必要がなく、電磁波照射検出器２００を小型化することができる。これにより、非常に多くの部品が入り組んで配置されたパチンコ機１においても、役物装置４やキャップ１０１〜１０４に電磁波を的確に照射でき、また、役物装置４やキャップ１０１〜１０４からの磁気共鳴現象を的確に検出できる。
【００４３】
零磁場（０．５ｍＴ以下の磁場）または非常に弱い磁場において特定の周波数を有する電磁波を照射した場合に磁気共鳴現象を示す物質として、具体的な物質名を挙げると以下のようになる。
【００４４】
（１）  零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体としては、たとえば、磁気的に配向した金属、合金、配位化合物または有機化合物に含まれる５５Ｍｎ、５７Ｆｅ、５９Ｃｏなどがある。
【００４５】
（２）  零磁場（０．５ｍＴ以下の磁場）において核四極子共鳴現象を示す物質としては、１１Ｂ、３５Ｃ１、７５Ａｓ、７９Ｂｒ、８１Ｂｒ、１２７Ｉなどがある。
【００４６】
（３）  非常に弱い磁場において電子スピン共鳴現象を示す物質としては、イオンラジカル塩、リチウムフタロシアニンまたはガンマ線照射融解石英などがある。
【００４７】
（４）  零磁場（０．５ｍＴ以下の磁場）において電気／磁気双極子またはスタークーゼーマンサブレベル間のトンネル遷移に起因する共鳴現象を示す物質としては、混合原子価またはヤーン−テラー結晶を持つラージクラスの配位化合物などがある。
【００４８】
上記で説明したワンウェイネジ９１は、これに限らず、たとえば、ねじ込み方向および弛め方向に回転することができるビスや、鋲、ピン、タッピングねじなど、ボックス本体４１とカバー体４２とを締結できるものであれば何でも用いることができる。
【００４９】
また、本実施の形態では、役物装置４が「遊技盤取付部材」の一例とされる場合について説明したが、これに限らず、たとえば、遊技盤２に形成された孔に嵌め込まれる合成樹脂成形部品や遊技盤２に取り付けられる合成樹脂製の装飾品も、これに磁気共鳴物質の粉末を含有させることにより、「遊技盤取付部材」として用いることができる。また、役物装置４０を合成樹脂製の装着板（図示略）によって遊技盤２に装着する場合には、この装着板に磁気共鳴物質の粉末を含有させて、「遊技盤取付部材」として用いることができる。
【００５０】
また、本実施の形態では、キャップ１０１〜１０４が破壊しなければ連通孔から取り出せない形状を有するものとしたが、これに限らず、キャップ１０１〜１０４は、これらを接着剤で連通孔に固着することによって、破壊しなければ連通孔から取り出せないようにしてもよい。
【００５１】
また、本実施の形態では、キャップ１０１〜１０４を基板ボックス４０に装着したが、これに限らず、たとえば、円柱体や角柱体などの栓状部品を用いることもできる。この場合、栓状部品を接着剤を用いて連通孔に固着すれば、これらを破壊しなければ連通孔から取り外せないようにすることができる。なお、第１回目の封止時に使用される栓状部品は、本発明における「本部材」に相当し、再封止時に使用される栓状部品は、本発明における「予備部材」に相当することとなる。
【００５２】
今回開示された実施の形態はすべての点で例示であって制限的なものではないと考えられるべきである。本発明の範囲は上述した説明ではなくて特許請求の範囲によって示され、特許請求の範囲と均等の意味及び範囲内でのすべての変更が含まれることが意図される。
【００５３】
本実施形態では、パチンコ機を例に挙げて説明をしたが、これに限らず、スロットマシン、アレンジボール機、雀球機などの遊技機の基板ボックスに適用してもよい。
【図面の簡単な説明】
【００５４】
【図１】本発明の一実施形態におけるパチンコ機の正面図である。
【図２】パチンコ機が遊技盤を備える様子を説明する図である。
【図３】本発明の一実施形態におけるパチンコ機の背面図である。
【図４】本発明の一実施形態における基板ボックスの斜視図である。
【図５】本発明の一実施形態における基板ボックスの分解斜視図である。
【図６】図４におけるＡ−Ａの締結前の断面図である。
【図７】図４におけるＡ−Ａの締結後の断面図である。
【図８】役物装置に含有される磁気共鳴物質の粉末の種類と、各小締結封止部を構成するキャップに含有される磁気共鳴物質の粉末の種類と、の関係を示す図である。
【符号の説明】
【００５５】
１  パチンコ機
２  遊技盤
３  遊技領域
４  役物装置
５  図柄表示装置
１０  払出装置
２０  払出基板ボックス
３０  主基板
４０  主基板ボックス
４１  ボックス本体
４２  カバー体
５０  保護カバー
６０ａ、６０ｂ    締結封止部
６１    第１小締結封止部
６１ａ  ボックス本体４１側の孔
６１ｂ  カバー体４２側の孔
６２    第２小締結封止部
６２ａ  ボックス本体４１側の孔
６２ｂ  カバー体４２側の孔
６３    第３小締結封止部
６３ａ  ボックス本体４１側の孔
６３ｂ  カバー体４２側の孔
６４    第４小締結封止部
６４ａ  ボックス本体４１側の孔
６４ｂ  カバー体４２側の孔
７１〜７３  三角形状の突起
８１〜８４  カシメ部材
８１ａ  筒部
８１ｂ  フランジ部
８１ｃ  スリット
９１〜９４  ワンウェイネジ
１０１〜１０４  キャップ
１０１ａ  本体部分
１０１ｂ  一対の係止爪
１１０  係止溝
１２０  底面
２００    電磁波照射検出器
Ｈ  孔６１ｂの内径
Ｄ  一対の係止爪における一方の先端と他方の先端との間隔
ＣＬ１、ＣＬ２  切断線
【図１】
2008142374.tif 000003
【図２】
2008142374.tif 000004
【図３】
2008142374.tif 000005
【図４】
2008142374.tif 000006
【図５】
2008142374.tif 000007
【図６】
2008142374.tif 000008
【図７】
2008142374.tif 000009
【図８】
2008142374.tif 000010